(57)【要約】【課題】  店舗情報を、通信料金やサイトに登録という利用者の負担を必要とすることなく、携帯端末の近距離無線で交換できるようにする。【解決手段】携帯情報端末を携帯した利用者が一定時間以上、第１の店舗２０の内部あるいは店舗近傍に留まっていた場合、第１の店舗の情報端末３０は利用者の情報端末に店舗の広告などの情報を配信する。第１の店舗２０を出た利用者は店舗の情報を記憶した携帯情報端末１１を携帯してショッピングモール１内部を移動する。店舗の情報を記憶した携帯情報端末１１は近傍に位置する他の携帯端末と通信し、利用者の属性や嗜好が一致する携帯端末を見つけると第１の店舗の情報を送信する。【選択図】      図１
2005215846.tif 000002
【特許請求の範囲】
【請求項１】
近距離無線通信機能を有する情報発信端末が予め定めた通信エリア内に存在する前記近距離無線通信機能を有する携帯情報端末に一定の条件下で情報を発信し、前記携帯情報端末は、前記通信エリア内に存在する前記近距離無線通信機能を有する他の携帯情報端末と前記条件下で前記情報を互いに交換することを特徴とする情報交換方法。
【請求項２】
近距離無線通信機能を有する店舗の情報端末が前記近距離無線通信機能を有する携帯情報端末の存在を検出すると一定時間通信エリアに留まっているかどうかを監視し、前記一定時間通信エリアに留まっていることを確認すると前記近距離無線通信機能を用いて前記携帯情報端末と通信を確立し、前記通信の確立に応じて前記携帯情報端末から利用者ＩＤと利用者の嗜好を通知されると、少なくとも前記利用者の嗜好に合致する店舗情報内容と店舗ＩＤとを含む店舗情報を前記携帯情報端末に送信し、前記携帯情報端末は、送信された前記店舗情報を前記携帯情報端末内の店舗情報記憶領域に格納することを特徴とする情報交換方法。
【請求項３】
前記店舗情報内容は、前記店舗の広告情報及びクーポンであることを特徴とする請求項２記載の情報交換方法。
【請求項４】
前記携帯情報端末は、前記携帯情報端末の前記通信エリア内に他の前記携帯情報端末の存在を検出すると互いに通信を確立し、あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から端末利用者ＩＤと前記店舗情報を送られてきた場合は前記自携帯情報端末内の店舗情報記憶領域に格納することを特徴とする請求項２記載の情報交換方法。
【請求項５】
前記店舗情報には、前記他の携帯情報端末まで経由してきたすべての前記携帯情報端末の前記端末利用者ＩＤが含まれることを特徴とする請求項４記載の情報交換方法。
【請求項６】
前記携帯情報端末は、前記携帯情報端末の前記通信エリア内にあらかじめ任意の位置に設置され前記近距離無線通信機能を有する情報マーキング端末の存在を検出すると互いに通信を確立し、前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の前記店舗情報記憶領域に格納し、前記情報マーキング端末は、前記携帯情報端末からから受け取った前記利用者ＩＤと前記店舗情報をあらかじめ備えた嗜好別の店舗情報記憶領域に蓄積することを特徴とする請求項２記載の情報交換方法。
【請求項７】
前記情報マーキング端末から送られる前記店舗情報には、前記情報マーキング端末まで経由してきたすべての前記携帯情報端末の前記端末利用者ＩＤが含まれることを特徴とする請求項６記載の情報交換方法。
【請求項８】
利用者ＩＤ対応にポイントを管理するポイント管理サーバをあらかじめ用意し、前記店舗の情報端末は、清算処理時に前記携帯情報端末と通信を確立し、前記携帯情報端末の店舗情報記憶領域内の前記経由した利用者ＩＤを読み出し、店舗の基準により各利用者ＩＤにポイントを付与し、前記店舗ＩＤと前記利用者ＩＤと付与された前記ポイントを前記ポイント管理サーバに送信することを特徴とする請求項５又は７記載の情報交換方法。
【請求項９】
予め定めた通信エリア内に存在する近距離無線通信機能を有する携帯情報端末に一定の条件下で情報を発信する前記近距離無線通信機能を有する情報発信端末と、前記通信エリア内に存在する前記近距離無線通信機能を有する他の携帯情報端末と前記条件下で前記情報を互いに交換する前記携帯情報端末とを含んで構成されることを特徴とする情報交換システム。
【請求項１０】
近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信を確立する第１の無線通信ブロックと前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する第１の信号処理ブロックとを含んでなる近距離無線通信機能を有する店舗の情報端末と、前記近距離無線通信機能を用いて前記通信エリア内の前記店舗の情報端末と通信を確立する第２の無線通信ブロックと前記通信の確立後に送信された前記店舗情報を前記携帯情報端末内の店舗情報記憶領域に格納する第２の信号処理ブロックとを含んでなる前記携帯情報端末とを含んで構成されることを特徴とする情報交換システム。
【請求項１１】
前記店舗情報内容は、前記店舗の広告情報及びクーポンであることを特徴とする請求項１０記載の情報交換システム。
【請求項１２】
前記第２の無線通信ブロックは、前記携帯情報端末の前記通信エリア内に他の前記携帯情報端末の存在を検出すると互いに通信を確立し、前記第２の信号処理ブロックは、前記通信の確立後あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から前記端末利用者ＩＤと前記店舗情報を送られてきた場合は前記自携帯情報端末内の店舗情報記憶領域に格納することを特徴とする請求項１０記載の情報交換システム。
【請求項１３】
前記店舗情報には、前記他の携帯情報端末まで経由してきたすべての前記携帯情報端末の前記端末利用者ＩＤが含まれることを特徴とする請求項１２記載の情報交換システム。
【請求項１４】
前記第２の無線通信ブロックは、前記携帯情報端末の前記通信エリア内にあらかじめ任意の位置に設置され前記近距離無線通信機能を有する情報マーキング端末の存在を検出すると互いに通信を確立し、前記第２の信号処理ブロックは、前記通信の確立後自携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納し、前記情報マーキング端末は、前記近距離無線通信機能を用いて前記通信エリア内の前記携帯情報端末と通信を確立する第３の無線通信ブロックと、あらかじめ備えた嗜好別の店舗情報記憶領域から前記利用者の嗜好に合った前記店舗情報を前記携帯情報端末に送るとともに前記携帯情報端末からから受け取った前記利用者ＩＤと前記店舗情報を前記嗜好別の店舗情報記憶領域に蓄積する第３の信号処理ブロックとを含んでなることを特徴とする請求項１０記載の情報交換システム。
【請求項１５】
前記情報マーキング端末から送られる前記店舗情報には、前記情報マーキング端末まで経由してきたすべての前記携帯情報端末の前記端末利用者ＩＤが含まれることを特徴とする請求項１４記載の情報交換システム。
【請求項１６】
利用者ＩＤ対応にポイントを管理するポイント管理サーバを具備し、前記店舗の情報端末の前記第１の無線通信ブロックは、清算処理時に前記携帯情報端末と通信を確立し、前記第１の信号処理ブロックは前記携帯情報端末の店舗情報記憶領域内の前記経由した利用者ＩＤを読み出し、店舗の基準により各利用者ＩＤにポイントを付与し、前記店舗ＩＤと前記利用者ＩＤと付与された前記ポイントを前記ポイント管理サーバに送信することを特徴とする請求項１３又は１５記載の情報交換システム。
【請求項１７】
近距離無線通信機能を用いて通信エリア内の店舗の情報端末と通信を確立する無線通信手段と前記通信の確立後に前記店舗の情報端末から送信された店舗情報を前記携帯情報端末内の店舗情報記憶領域に格納する信号処理手段とを含んでなることを特徴とする携帯情報端末。
【請求項１８】
近距離無線通信機能を用いて通信エリア内に他の携帯情報端末の存在を検出すると互いに通信を確立する無線通信手段と、前記通信の確立後あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを前記他の携帯情報端末に転送し、前記他の携帯情報端末から前記端末利用者ＩＤと前記店舗情報を送られてきた場合は前記携帯情報端末内の店舗情報記憶領域に格納することを特徴とする信号処理手段とを含んでなることを特徴とする携帯情報端末。
【請求項１９】
近距離無線通信機能を用いて通信エリア内にあらかじめ任意の位置に設置され前記近距離無線通信機能を有する情報マーキング端末の存在を検出すると互いに通信を確立する無線通信手段と、前記通信の確立後前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納する信号処理手段とを含んでなることを特徴とする携帯情報端末。
【請求項２０】
近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信を確立する無線通信手段と前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する信号処理手段とを含んでなることを特徴とする近距離無線通信機能を有する情報端末。
【請求項２１】
近距離無線通信機能を用いて通信エリア内の携帯情報端末と通信を確立する無線通信手段と、あらかじめ備えた嗜好別の店舗情報記憶領域から利用者の嗜好に合った店舗情報を前記携帯情報端末に送るとともに前記携帯情報端末からから受け取った前記利用者ＩＤと前記利用者の嗜好と前記店舗情報を前記嗜好別の店舗情報記憶領域に蓄積する信号処理手段とを含んでなることを特徴とする近距離無線通信機能を有する情報端末。
【請求項２２】
近距離無線通信機能を有する店舗の情報端末にあって、近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信を確立し前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する第１の機能と、前記携帯情報端末にあって前記近距離無線通信機能を用いて前記通信エリア内の前記店舗の情報端末と通信を確立し前記通信の確立後に送信された前記店舗情報を前記携帯情報端末内の店舗情報記憶領域に格納する第２の機能をコンピュータに実行させるためのプログラム。
【請求項２３】
前記携帯情報端末にあって、前記携帯情報端末の前記通信エリア内に他の前記携帯情報端末の存在を検出すると互いに通信を確立し、前記通信の確立後あらかじめ前記携帯情報端末内に登録された利用者の嗜好を前記他の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から前記端末利用者ＩＤと前記店舗情報を送られてきた場合は前記携帯情報端末内の前記店舗情報記憶領域に格納する第３の機能をコンピュータに実行させるための請求項２２記載のプログラム。
【請求項２４】
前記携帯情報端末にあって、前記携帯情報端末の前記通信エリア内にあらかじめ任意の位置に設置され前記近距離無線通信機能を有する情報マーキング端末の存在を検出すると互いに通信を確立し、前記通信の確立後前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納する第４の機能と、前記情報マーキング端末にあって前記近距離無線通信機能を用いて前記通信エリア内の前記携帯情報端末と通信を確立し、あらかじめ備えた嗜好別の店舗情報記憶領域から前記利用者の嗜好に合った前記店舗情報を前記携帯情報端末に送るとともに前記携帯情報端末からから受け取った前記利用者ＩＤと前記店舗情報を前記嗜好別の店舗情報記憶領域に蓄積する第５の機能をコンピュータに実行させるための請求項２２記載のプログラム。
【発明の詳細な説明】
【技術分野】
【０００１】
本発明は利用者どうしが情報交換を行うための情報交換方法及び情報交換システム及び情報交換端末及び情報交換用プログラムに関する。特に、携帯端末を用いて、利用者どうしが店舗の情報を交換する場合の、情報交換方法及び情報交換システム及び情報交換端末及び情報交換用プログラムに関する。
【背景技術】
【０００２】
現在、地域情報や商品情報の携帯電話機へのインターネットを介した情報配信が、盛んに行われている。
【０００３】
最新の代表的な情報配信方法として以下の２つを紹介する。
【０００４】
第１の方法は、第３者どおしが、ネットワークの情報交換サイトを介して、互いの所望する情報を配信しあう方法である（例えば、特許文献１参照。）。
【０００５】
すなわち、自分の所望する条件を情報交換サイトに登録しておけば、その条件に合致する情報を第３者がサイトに登録したとき、その情報が携帯電話機へ自動的に配信される。
【０００６】
この方法は、多種多様な所望情報（例えば、店舗情報）を互いにリアルに交換することに適している。
【０００７】
また、第２の方法は、まず、携帯端末に近距離無線機能を持たせ、特定の地域に関する広告情報をサーバから、近距離無線で一定エリア内のクライアントの携帯端末に配信する。さらに、この携帯端末がサーバとなり他のクライアントの携帯端末に近距離無線により配信する方法である（例えば、特許文献２参照。）。
【０００８】
この方法により、変化の激しい配信情報を、通信費用をかけることなく、ユーザに広げることが出来る。
【０００９】
【特許文献１】特開２００３−６１１５４号公報
【特許文献２】特開２００３−１６３４７号公報
【発明の開示】
【発明が解決しようとする課題】
【００１０】
しかしながら、上述した従来の技術の第１の方法は、情報の発信および取得の行為は移動体通信網を使用して情報交換サーバを介して行われる。そのために通信料金が必要であり、利用者に金銭面で負担がかかるという問題があった。さらに、情報は、第３者がサイトに登録する必要があり、発信者側に負担がかかるという問題もあった。
【００１１】
また、上述した従来の技術の第２の方法は、情報が、近距離無線で情報を配信された携帯端末から、情報を配信されていない携帯端末に１方向のみで伝わる。そのため、店舗情報のように、互いに携帯端末で種々の情報を交換したいような場合には、この方法を利用できないという問題があった。
【００１２】
本発明の目的は、店舗情報のような情報を、通信料金やサイトに登録という利用者の負担を必要とすることなく、携帯端末の近距離無線で交換できるようにすることである。そして、そのための情報交換方法及び情報交換システム及び情報交換端末及びプログラムを提供することにある。
【課題を解決するための手段】
【００１３】
本願の第１の発明は、近距離無線通信機能を有する情報発信端末が予め定めた通信エリア内に存在する前記近距離無線通信機能を有する携帯情報端末に一定の条件下で情報を発信し、前記携帯情報端末は、前記通信エリア内に存在する前記近距離無線通信機能を有する他の携帯情報端末と前記条件下で前記情報を互いに交換することを特徴とする。
【００１４】
本願の第２の発明は、近距離無線通信機能を有する店舗の情報端末が前記近距離無線通信機能を有する携帯情報端末の存在を検出すると一定時間通信エリアに留まっているかどうかを監視し、前記一定時間通信エリアに留まっていることを確認すると前記近距離無線通信機能を用いて前記携帯情報端末と通信を確立し、前記通信の確立に応じて前記携帯情報端末から利用者ＩＤと利用者の嗜好を通知されると、少なくとも前記利用者の嗜好に合致する店舗情報内容と店舗ＩＤとを含む店舗情報を前記携帯情報端末に送信し、前記携帯情報端末は、送信された前記店舗情報を前記携帯情報端末内の店舗情報記憶領域に格納することを特徴とする。
【００１５】
本願の第３の発明は、第２の発明の前記店舗情報内容は、前記店舗の広告情報及びクーポンであることを特徴とする。
【００１６】
本願の第４の発明は、第２の発明の前記携帯情報端末は、前記携帯情報端末の前記通信エリア内に他の前記携帯情報端末の存在を検出すると互いに通信を確立し、あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から端末利用者ＩＤと前記店舗情報を送られてきた場合は前記自携帯情報端末内の店舗情報記憶領域に格納することを特徴とする。
【００１７】
本願の第５の発明は、第４の発明の前記店舗情報には、前記他の携帯情報端末まで経由してきたすべての前記携帯情報端末の前記端末利用者ＩＤが含まれることを特徴とする。
【００１８】
本願の第６の発明は、第２の発明の前記携帯情報端末は、前記携帯情報端末の前記通信エリア内にあらかじめ任意の位置に設置され前記近距離無線通信機能を有する情報マーキング端末の存在を検出すると互いに通信を確立し、前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の前記店舗情報記憶領域に格納し、前記情報マーキング端末は、前記携帯情報端末からから受け取った前記利用者ＩＤと前記店舗情報をあらかじめ備えた嗜好別の店舗情報記憶領域に蓄積することを特徴とする。
【００１９】
本願の第７の発明は、第６の発明の前記情報マーキング端末から送られる前記店舗情報には、前記情報マーキング端末まで経由してきたすべての前記携帯情報端末の前記端末利用者ＩＤが含まれることを特徴とする。
【００２０】
本願の第８の発明は、第５または第７の発明にて、利用者ＩＤ対応にポイントを管理するポイント管理サーバをあらかじめ用意し、前記店舗の情報端末は、清算処理時に前記携帯情報端末と通信を確立し、前記携帯情報端末の店舗情報記憶領域内の前記経由した利用者ＩＤを読み出し、店舗の基準により各利用者ＩＤにポイントを付与し、前記店舗ＩＤと前記利用者ＩＤと付与された前記ポイントを前記ポイント管理サーバに送信することを特徴とする。
【００２１】
本願の第９の発明は、予め定めた通信エリア内に存在する近距離無線通信機能を有する携帯情報端末に一定の条件下で情報を発信する前記近距離無線通信機能を有する情報発信端末と、前記通信エリア内に存在する前記近距離無線通信機能を有する他の携帯情報端末と前記条件下で前記情報を互いに交換する前記携帯情報端末とを含んで構成されることを特徴とする
本願の第１０の発明は、近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信と確立する第１の無線通信ブロックと前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する第１の信号処理ブロックとを含んでなる近距離無線通信機能を有する店舗の情報端末と、前記近距離無線通信機能を用いて前記通信エリア内の前記店舗の情報端末と通信を確立する第２の無線通信ブロックと前記通信の確立後に送信された前記店舗情報を前記携帯情報端末内の店舗情報記憶領域に格納する第２の信号処理ブロックとを含んでなる前記携帯情報端末とを含んで構成されることを特徴とする。
【００２２】
本願の第１１の発明は、第１０の発明の前記店舗情報内容は、前記店舗の広告情報及びクーポンであることを特徴とする。
【００２３】
本願の第１２の発明は、第１０の発明の前記第２の無線通信ブロックは、前記携帯情報端末の前記通信エリア内に他の前記携帯情報端末の存在を検出すると互いに通信を確立し、前記第２の信号処理ブロックは、前記通信の確立後あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から前記端末利用者ＩＤと前記店舗情報を送られてきた場合は前記自携帯情報端末内の店舗情報記憶領域に格納することを特徴とする。
【００２４】
本願の第１３の発明は、第１２の発明の前記店舗情報には、前記他の携帯情報端末まで経由してきたすべての前記携帯情報端末の前記端末利用者ＩＤが含まれることを特徴とする。
【００２５】
本願の第１４の発明は、第１０の発明の前記第２の無線通信ブロックは、前記携帯情報端末の前記通信エリア内にあらかじめ任意の位置に設置され前記近距離無線通信機能を有する情報マーキング端末の存在を検出すると互いに通信を確立し、前記第２の信号処理ブロックは、前記通信の確立後自携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納し、前記情報マーキング端末は、前記近距離無線通信機能を用いて前記通信エリア内の前記携帯情報端末と通信を確立する第３の無線通信ブロックと、あらかじめ備えた嗜好別の店舗情報記憶領域から前記利用者の嗜好に合った前記店舗情報を前記携帯情報端末に送るとともに前記携帯情報端末からから受け取った前記利用者ＩＤと前記店舗情報を前記嗜好別の店舗情報記憶領域に蓄積する第３の信号処理ブロックとを含んでなることを特徴とする。
【００２６】
本願の第１５の発明は、第１４の発明の前記情報マーキング端末から送られる前記店舗情報には、前記情報マーキング端末まで経由してきたすべての前記携帯情報端末の前記端末利用者ＩＤが含まれることを特徴とする。
【００２７】
本願の第１６の発明は、第１３または第１５の発明にて、利用者ＩＤ対応にポイントを管理するポイント管理サーバを具備し、前記店舗の情報端末の前記第１の無線通信ブロックは、清算処理時に前記携帯情報端末と通信を確立し、前記第１の信号処理ブロックは前記携帯情報端末の店舗情報記憶領域内の前記経由した利用者ＩＤを読み出し、店舗の基準により各利用者ＩＤにポイントを付与し、前記店舗ＩＤと前記利用者ＩＤと付与された前記ポイントを前記ポイント管理サーバに送信することを特徴とする。
【００２８】
本願の第１７の発明は、近距離無線通信機能を用いて通信エリア内の店舗の情報端末と通信を確立する無線通信手段と前記通信の確立後に前記店舗の情報端末から送信された店舗情報を前記携帯情報端末内の店舗情報記憶領域に格納する信号処理手段とを含んでなることを特徴とする。
【００２９】
本願の第１８の発明は、近距離無線通信機能を用いて通信エリア内に他の携帯情報端末の存在を検出すると互いに通信を確立する無線通信手段と、前記通信の確立後あらかじめ自携帯情報端末内に登録された利用者の嗜好を前記相手の携帯情報端末と交換して前記利用者の嗜好が一致すれば、少なくとも端末利用者ＩＤと前記携帯情報端末内の前記店舗情報記憶領域に格納された該当する前記店舗情報とを前記他の携帯情報端末に転送し、前記他の携帯情報端末から前記端末利用者ＩＤと前記店舗情報を送られてきた場合は前記携帯情報端末内の店舗情報記憶領域に格納することを特徴とする信号処理手段とを含んでなることを特徴とする。
【００３０】
本願の第１９の発明は、近距離無線通信機能を用いて通信エリア内にあらかじめ任意の位置に設置され前記近距離無線通信機能を有する情報マーキング端末の存在を検出すると互いに通信を確立する無線通信手段と、前記通信の確立後前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納する信号処理手段とを含んでなることを特徴とする。
【００３１】
本願の第２０の発明は、近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信を確立する無線通信手段と前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する信号処理手段とを含んでなる近距離無線通信機能を有する。
【００３２】
本願の第２１の発明は、近距離無線通信機能を用いて通信エリア内の携帯情報端末と通信を確立する無線通信手段と、あらかじめ備えた嗜好別の店舗情報記憶領域から利用者の嗜好に合った店舗情報を前記携帯情報端末に送るとともに前記携帯情報端末からから受け取った前記利用者ＩＤと前記利用者の嗜好と前記店舗情報を前記嗜好別の店舗情報記憶領域に蓄積する信号処理手段とを含んでなることを特徴とする。
【００３３】
本願の第２２の発明は、近距離無線通信機能を有する店舗の情報端末にあって、近距離無線通信機能を有する携帯情報端末の存在を検出すると一定時間通信エリアに留まっているかどうかを監視し前記一定時間通信エリアに留まっていることを確認すると前記近距離無線通信機能を用いて前記携帯情報端末と通信を確立し前記通信の確立に応じて前記携帯情報端末から利用者ＩＤと利用者の嗜好を通知されると少なくとも前記利用者の嗜好に合致する店舗情報内容と店舗ＩＤとを含む店舗情報を前記携帯情報端末に送信する第１の機能と、前記携帯情報端末にあって前記近距離無線通信機能を用いて前記通信エリア内の前記店舗の情報端末と通信を確立し前記通信の確立後に送信された前記店舗情報を前記携帯情報端末内の店舗情報記憶領域に格納する第２の機能をコンピュータに実行させるためのプログラム。
【００３４】
本願の第２３の発明は、第２２の発明の前記携帯情報端末にあって、前記携帯情報端末の前記通信エリア内に他の前記携帯情報端末の存在を検出すると互いに通信を確立し、前記通信の確立後あらかじめ前記携帯情報端末内に登録された利用者の嗜好を前記他の携帯情報端末と交換して前記利用者の嗜好が一致すれば、少なくとも端末利用者ＩＤと前記携帯情報端末内の前記店舗情報記憶領域に格納された該当する前記店舗情報とを転送し、前記相手の携帯情報端末から前記端末利用者ＩＤと前記店舗情報を送られてきた場合は前記携帯情報端末内の前記店舗情報記憶領域に格納する第３の機能をコンピュータに実行させるためのプログラム。
【００３５】
本願の第２４の発明は、第２２の発明の前記携帯情報端末にあって、前記携帯情報端末の前記通信エリア内にあらかじめ任意の位置に設置され前記近距離無線通信機能を有する情報マーキング端末の存在を検出すると互いに通信を確立し、前記通信の確立後前記携帯情報端末の前記利用者ＩＤと利用者の嗜好および自端末が保有する前記店舗情報を前記情報マーキング端末に通知し、前記情報マーキング端末から送られる前記利用者の嗜好に合った前記店舗情報を前記携帯情報端末内の店舗情報記憶領域に格納する第４の機能と、前記情報マーキング端末にあって前記近距離無線通信機能を用いて前記通信エリア内の前記携帯情報端末と通信を確立し、あらかじめ備えた嗜好別の店舗情報記憶領域から前記利用者の嗜好に合った前記店舗情報を前記携帯情報端末に送るとともに前記携帯情報端末からから受け取った前記利用者ＩＤと前記店舗情報を前記嗜好別の店舗情報記憶領域に蓄積する第５の機能をコンピュータに実行させるためのプログラム。
【発明の効果】
【００３６】
本発明によって利用者は通信料金を使用することなく、店舗の情報を互いの携帯情報端末間で自動的に交換することが可能になる効果がある。又、情報のサイトへの登録という利用者の負担を必要とすることなく、店舗の情報を互いの携帯情報端末間で自動的に交換することが可能になる効果がある。
【発明を実施するための最良の形態】
【００３７】
図１は本発明の一実施の形態を示すシステム構成図である。
【００３８】
ショッピングモール１において第１の店舗２０、第２の店舗２１が営業を行っている。第１の店舗２０、第２の店舗２１にはそれぞれ第１の店舗の情報端末３０、第２の店舗の情報端末３１が設置されており、各店舗の広告などの情報を配信している。ショッピングモール１にてショッピングを楽しむ利用者は各自、店舗の広告などの情報を配信されていない携帯情報端末１０を携帯している。この携帯情報端末１０には利用者の属性、嗜好が記録されている。携帯情報端末１０を携帯した利用者が一定時間以上、第１の店舗２０の内部あるいは店舗近傍に留まっていた場合、第１の店舗の情報端末３０は利用者の情報端末１０に店舗の広告などの情報を配信する。店舗の広告などの情報を配信された携帯情報端末１０は、店舗の情報を記憶した携帯情報端末１１となる。第１の店舗２０を出た利用者は店舗の情報を記憶した携帯情報端末１１を携帯してショッピングモール１内部を移動する。店舗の情報を記憶した携帯情報端末１１は近傍に位置する他の携帯端末と通信し、利用者の属性や嗜好が一致する携帯端末を見つけると第１の店舗の情報を送信する。店舗の情報を直接転送された携帯情報端末１２の利用者は、店舗の情報を見て気に入れば第１の店舗２０を訪れる。
【００３９】
以上のように一定時間以上顧客を店内に留めておくことができる店舗の情報は携帯情報端末１０を通して口コミ的に広がる。
【００４０】
多くの人が集まるような場所（例えばレストランなど）では、店舗の情報を記憶した携帯情報端末１１も多く集まる。そのため、利用者の属性や嗜好が一致する携帯端末への情報の転送が頻繁に行われる。あるいは、端末どおしの互いに蓄積した情報の交換も頻繁に行われる。このような場所は相互転送エリア５１として位置づけられ、多くの情報を取得したい利用者も集まることになる。
【００４１】
利用者の携帯情報端末１１どおしがやり取りする情報は利用者の個人データの内の属性や嗜好のみで、氏名、住所など重要な情報は含まない。また、属性、嗜好は互いに一致するかの判断だけに使用し、その他の用途（例えば携帯情報端末のディスプレーに表示するなど）には使用しない。
【００４２】
また、利用者の携帯情報端末１１どおしが直接情報をやり取りする上述した構成以外にも以下のような構成での情報交換も行う。いま、第２の店舗２１には第２の店舗の情報端末３１が設置されている。携帯情報端末を持った利用者（利用者Ａ）が一定時間以上第２の店舗２１の内部あるいは店舗近傍に居たとする。この場合、第２の店舗の情報端末３１から利用者（利用者Ａ）の携帯情報端末へ店舗の広告などの情報が配信される。利用者は第２の店舗の情報が配信された店舗の情報を記憶した携帯情報端末１１を携帯して情報マーキング端末４０の近傍（情報マーキング端末エリア５０）まで赴く。情報マーキング端末４０は、予め、ショッピングモール内に設置されている情報端末である。そして、携帯情報端末１１はその内部に記憶した第２の店舗２１の情報および自身の属性、嗜好を情報マーキング端末４０に転送する。
【００４３】
その後利用者は情報マーキング端末エリア５０に留まっていても、エリア外に移動しても構わない。他の携帯情報端末の利用者（利用者Ｂ）が情報マーキング端末エリア５０を訪れた場合、その利用者の携帯情報端末は、情報マーキング端末４０から再転送された情報を記憶する。この情報は、利用者（利用者Ｂ）の属性、嗜好と合致した他の利用者（利用者Ａ）が情報マーキング端末４０に転送した情報である。この情報マーキング端末４０経由で店舗の情報を記憶した携帯情報端末は店舗の情報を間接転送された携帯情報端末１３となる。店舗の情報を間接転送された携帯情報端末１３を携帯した利用者（利用者Ｂ）は、転送された店舗の情報を参考にして第２の店舗２１を訪れる。
【００４４】
一般的に情報マーキング端末エリア５０は、ショッピングモール１内の多目的広場などのような場所に設置することが望ましい。また情報マーキング端末エリア５０の範囲は情報マーキング端末４０と携帯情報端末１１の通信の到達距離で決まる。つまり、情報マーキング端末４０の電波、あるいは光信号などの信号が届く範囲となる。
【００４５】
携帯情報端末１１の形態は限定せず、携帯電話型、ＰＤＡ型、カード型などが考えられる。
【００４６】
携帯情報端末、店舗の情報端末、情報マーキング端末間の通信は無線あるいは光無線であることが望ましいが、有線による通信でもかまわない。
【００４７】
本発明では携帯情報端末の利用者が一定時間以上店舗内または店舗近傍に留まることで店舗の情報を携帯情報端末に転送する。この一定の時間は全ての業種に渡って共通の値をとる必要はない。
【００４８】
図２は本発明の他の実施の形態を示すシステム構成図である。
【００４９】
利用者は携帯情報端末１１の利用開始に際し、自身の属性、趣味・嗜好を携帯情報端末に記憶させる。携帯情報端末は利用者が常時携帯するか、ショッピングモール１に訪れるたびに運営組織６０から貸与される方式とする。
【００５０】
運営組織６０は加盟店舗７０の出資を受けて運営される。加盟店舗７０は図１における第１の店舗２０や第２の店舗２１などである。運営組織は出資比率に応じたポイントを加盟店舗７０に割り当てる。このポイントは各加盟店舗が利用者に特典として付与するものである。
【００５１】
加盟店舗７０の内部あるいは近傍に一定時間以上居た利用者の携帯情報端末には加盟店舗７０の情報端末７５の発信する情報（広告及びクーポン）が配信される。加盟店舗７０情報端末７５では全ての利用者に情報を発信してもいいが、携帯情報端末に記憶された利用者の属性・嗜好を把握した上でターゲットとなる利用者のみに情報を配信してもよい。この場合、情報端末７５において、ターゲットとなる利用者の属性・嗜好を配信する情報にキーワードとして設定し、属性・嗜好が一致した利用者にのみ配信する方法が効果的である。
【００５２】
店舗の情報を記憶した携帯情報端末１１に配信された情報には、配信した店舗名（または店舗ＩＤ番号）とその店舗での配信した情報のシリアル番号、配信した日時が付与される。配信した情報のシリアル番号は店舗に設置されたシリアル番号管理サーバ９０が管理する。
【００５３】
店舗の情報を記憶した携帯情報端末１１が他の携帯情報端末を自らの近傍に見つけ通信を確立すると、携帯情報端末１１は、まず互いの利用者の属性・嗜好情報を交換し合致した項目の検索を行う。これらの項目で合致した項目が検出されると、２つの携帯情報端末は、互いに共有する情報を保有している可能性が高いと判断して情報の交換を行う。このとき通信の負荷を下げるために、交換する情報を選別することが効果的である。選別の方法としてはターゲットとなる利用者の属性・嗜好を配信する情報にキーワードとして設定された情報の内、交換相手の属性・嗜好に合致するものを交換する方法が好ましい。即ち、交換相手の属性・嗜好に合致したキーワードが交換される。
【００５４】
図２では店舗の情報を記憶した携帯情報端末１１から携帯情報端末１２に店舗の情報が転送された場合を示している。この際、店舗情報の転送元となった店舗の情報を記憶した携帯情報端末１１のＩＤも同時に店舗の情報を直接転送された携帯情報端末１２へ記憶される。
【００５５】
店舗の情報を直接転送された携帯情報端末１２の利用者は転送された店舗情報を見て気に入れば加盟店舗７０を訪れる。ここで、店舗の情報を直接転送された携帯情報端末１２の利用者が加盟店舗７０のサービスあるいは販売する物品を購入する場合、クーポンを使用する。このクーポンに関するクーポン情報は、店舗の情報を記憶した携帯情報端末１１から転送されたものである。シリアル番号管理サーバ９０は使用されたクーポン情報に含まれるシリアル番号から最初に情報を配信した店舗の情報を記憶した携帯情報端末１１のＩＤを割り出す。加盟店舗７０の情報端末７５は店舗の情報を記憶した携帯情報端末１１に対して、店舗の情報を転送した対価としてポイント情報を送信し、ポイントを還元する。
【００５６】
また、携帯情報端末どおしのＩＤのやり取りを行うと複数台の携帯情報端末を経由した店舗の情報のクーポンを使用することになる。この場合、加盟店舗７０の情報端末７５は経由した全ての携帯情報端末にポイント情報を送信し、転送の対価のポイントを還元することが可能となる。
【００５７】
店舗の情報端末から利用者の携帯情報端末に配信されてから時間が経過して古くなった情報が他の利用者の携帯情報端末に転送されることを防止する必要がある。そのため、配信される情報にはライフタイムを設定して配信からライフタイムを越えた情報は消滅または他の利用者の情報携帯端末には転送されないようにする。同様に複数台の携帯情報端末を経由した店舗の情報を利用できる場合は、経由した携帯情報端末の台数（情報マーキング端末も含む）に制限を設ける方式も可能である。店舗の情報のライフタイムの設定および経由した携帯情報端末の台数制限により、古くなった情報の配信防止以外にも、過剰に多くの利用者に広まらないようにする効果がある。
【００５８】
店舗の情報端末７５から配信される情報は広告、クーポン以外であっても良い。店舗から配信される情報に付与される情報は配信した店舗名とその店舗での配信した情報のシリアル番号、配信した日時以外であっても良い。
【００５９】
ポイント還元の方法としては、運営組織６０が用意するサービスまたは商品購入の対価として使用する形態がある。あるいは各店舗でのサービスまたは商品購入の対価として使用する形態がある。
【００６０】
また、加盟店舗７０の情報端末７５は店舗の情報を直接転送された携帯情報端末１２に対しても、サービスまたは商品購入の特典としてポイント情報を送信し、携帯情報端末１２の利用者にポイントを還元することが可能である。
【００６１】
図２では情報マーキング端末４０を経由しない店舗情報の転送方法について説明したが、情報マーキング端末４０を経由しても同様の方式で実現が可能である。
【００６２】
図２ではシリアル番号管理サーバ９０は各加盟店舗に設置する構成とした。これ以外にも、運営組織６０に各加盟店舗の情報を一括管理するシリアル番号管理サーバを設置し、加盟店舗がサーバを共有する構成も可能である。
【００６３】
加盟店舗に割り当てるポイントは、運営組織６０に対する出資比率に応じるとしたが、月ごとの加盟会費に応じることも可能である。この場合、加盟店舗によって需要が見込まれる月には会費を多く払い込み、多数のポイントを準備しておくといった販売戦略も可能である。
【００６４】
また、利用者に対するポイントの還元比率は各店舗で任意に決定することが出来る。さらに、店舗の情報端末から店舗情報がいくつかの携帯情報端末を経由して実際に店舗を利用した携帯情報端末まで転送される場合がある。この場合、どの店舗情報を転送した利用者にいくらのポイントを還元するかも各店舗で任意に決定することができる。
【００６５】
図３は携帯情報端末１０（または、携帯情報端末１１あるいは１２も共通）の構成を示すブロック図である。無線通信ブロック１５０−１では他の端末と通信が確立していない時点では、自端末の存在を知らせる信号を出力しつつ他の端末が発する存在を知らせる信号を待ち受けしている。他の端末が発する存在を検出すると互いに通信を確立する。信号処理ブロック１６０−１は通信が確立した相手が店舗の情報端末か、携帯情報端末か、情報マーキング端末かを判断する。
【００６６】
通信が確立した相手が店舗の情報端末だった場合、信号処理ブロック１６０−１は以下の処理を行う。信号処理ブロック１６０−１は、まず、記憶ブロック１７０の利用者情報記憶領域１８０からあらかじめ登録された利用者ＩＤと利用者の嗜好を読み出す。そして、信号処理ブロック１６０−１は読み出した利用者ＩＤと利用者の嗜好を店舗の情報端末（図１の３０または３１）に通知する。店舗の情報端末３０からは利用者の嗜好に合致する店舗情報内容があれば、該当する店舗情報内容と店舗ＩＤとが携帯情報端末１０に送られる。ここで、店舗情報内容は、利用者に対するサービス内容であり、ここでは、広告及びクーポンを意味する。また、この時店舗の情報端末３０からはこのほかに、各店舗ごとに配信時に割り当てたシリアル番号および配信時に書き込まれたタイムスタンプが携帯情報端末１０に送信される。ここで、タイムスタンプは、配信された日付・時間を示す情報である。信号処理ブロック１６０−１はこれらの情報を記憶ブロック１７０の店舗情報記憶領域１９０−１に格納する。尚、店舗情報内容と店舗ＩＤ及び、シリアル番号および配信時に書き込まれたタイムスタンプからなる情報を、以降店舗情報と呼ぶ。
【００６７】
通信が確立した相手が携帯情報端末１２（図１）だった場合、携帯情報端末１１（図１）の信号処理ブロック１６０−１は以下の処理を行う。信号処理ブロック１６０−１は、まず記憶ブロック１７０の利用者情報記憶領域１８０からあらかじめ登録された利用者の嗜好を相手の携帯情報端末１２と交換する。そして信号処理ブロック１６０−１は、利用者の嗜好が一致すれば、該当する店舗情報と自端末利用者ＩＤを転送する。該当する店舗情報がない場合は特に転送は行わない。また、相手の携帯情報端末１２から店舗情報が送られてきた場合は、携帯情報端末１１の信号処理ブロック１６０−１は、店舗情報記憶領域１９０−１に、送られてきた店舗情報を格納する。尚、この場合の店舗情報には、前述した店舗の情報端末３０からの店舗情報に、通信相手を含むその店舗情報が店舗から配信されてから経由したすべての携帯情報端末の利用者ＩＤとが追加される。
【００６８】
通信が確立した相手が情報マーキング端末４０だった場合、携帯情報端末１１の信号処理ブロック１６０−１は以下の処理を行う。信号処理ブロック１６０−１は、まず記憶ブロック１７０の利用者情報記憶領域１８０からあらかじめ登録された利用者ＩＤとを情報マーキング端末４０に通知する。信号処理ブロック１６０−１は、この時、利用者の嗜好および自端末が保有する店舗情報がある場合はその店舗情報を情報マーキング端末４０に通知する。情報マーキング端末４０は、携帯情報端末１１からの利用者の嗜好を確認し、利用者の嗜好に合った店舗情報を携帯情報端末１１に送信する。
【００６９】
図４は店舗の情報端末３０（図１）の構成を示すブロック図である。無線通信ブロック１５０−２は、携帯情報端末１１が発する存在を検出すると、一定時間店内に留まっているかどうかを監視する。無線通信ブロック１５０−２は、携帯情報端末１１が一定時間店内に留まっていることを確認すると、互いに通信を確立する。信号処理ブロック１６０−２は、携帯情報端末１１から利用者の嗜好を通知されると、店舗情報記憶領域１９０−２を参照する。そして、利用者の嗜好に合致する店舗情報内容があれば、信号処理ブロック１６０−２は、該当する店舗情報内容を含む店舗情報を携帯情報端末１１に送信する。
【００７０】
さらに、店舗の情報を直接転送された携帯情報端末の利用者が、店舗の情報を見て店舗を訪れ、商品やサービスを購入後の清算したとする。この時、店舗の情報端末３０は、無線通信ブロック１５０−２により携帯情報端末１１と通信を確立する。そして、店舗の情報端末３０は、信号処理ブロック１６０−２により携帯情報端末１１の店舗情報記憶領域１９０−１内の経由した利用者ＩＤを読み出す。次に、店舗の情報端末３０は、信号処理ブロック１６０−２により、各利用者ＩＤにポイントを付与し、ネットワークを介してポイント管理サーバ８０に送信する（図示せず）。
【００７１】
図５は情報マーキング端末４０の構成を示すブロック図である。無線通信ブロック１５０−３は携帯情報端末１１（図１）との通信を確立する。信号処理ブロック１６０−３は通信が確立した携帯情報端末１１の利用者の嗜好を確認して、利用者の嗜好に合った店舗情報を保有していた場合は携帯情報端末に転送する。これとともに信号処理ブロック１６０−３は、携帯情報端末１１からの店舗情報も受け取る。情報マーキング端末４０は携帯情報端末１１から受け取った店舗情報を記憶ブロックの嗜好別の店舗情報記憶領域１９０−３に蓄積する。嗜好別の店舗情報は、嗜好の種類ごとに分けて店舗情報記憶領域１９０−３に蓄積されている。そして、嗜好別の店舗情報には、情報を携帯情報端末１１から取得した日付・時間と、店舗からの店舗情報、及び携帯情報端末の利用者ＩＤとが含まれる。尚、携帯情報端末の利用者ＩＤには、店舗の情報端末から情報マーキング端末まで転送されるまでに経由したすべての携帯情報端末の利用者ＩＤが含まれる。
【００７２】
図６はポイント管理サーバ８０の構成を示すブロック図である。ポイント管理サーバ８０は、図２の加盟店舗７０から送られてくる利用者のポイントの利用・蓄積情報を元に、記憶ブロック１７０に利用者のポイントを一元的に管理する。記憶ブロック１７０の利用者管理情報記憶領域２１０には各利用者ごとにポイントを利用・蓄積した日付・時間と、その時のポイント残数と、ポイントを利用・蓄積した店舗が記憶される。
【００７３】
図７はシリアル番号管理サーバ９０の構成を示すブロック図である。記憶ブロック１７０の配信履歴情報記憶領域２２０には店舗情報を配信した日付・日時と、配信時のシリアル番号と、配信した携帯情報端末１１の利用者情報が記憶されている。この利用者情報には、利用者ＩＤと、配信した情報の利用の有無が含まれる。
【００７４】
上記の実施例では、店舗の情報端末および情報マーキング端末４０から携帯情報端末１１へ向かう情報の伝送は、通信を確立する方法を記述した。この情報の伝送は、放送のように情報を垂れ流して携帯情報端末１１が利用者の嗜好に合致する店舗情報を選択するようにしてもよい。
【００７５】
次に、本発明の機能をコンピュータに実行させるためのプログラムを以下に示す。
【００７６】
まず、第１は、近距離無線通信機能を有する店舗の情報端末にあって、近距離無線通信機能を有する携帯情報端末の存在を検出すると一定時間通信エリアに留まっているかどうかを監視し一定時間通信エリアに留まっていることを確認すると近距離無線通信機能を用いて携帯情報端末と通信を確立し、通信の確立に応じて携帯情報端末から利用者ＩＤと利用者の嗜好を通知されると少なくとも利用者の嗜好に合致する店舗情報内容と店舗ＩＤとを含む店舗情報を携帯情報端末に送信する第１の機能と、携帯情報端末にあって近距離無線通信機能を用いて通信エリア内の店舗の情報端末と通信を確立し通信の確立後に送信された前記店舗情報を携帯情報端末内の店舗情報記憶領域に格納する第２の機能をコンピュータに実行させるためのプログラムである。
【００７７】
第２は、第１のプログラムにあって、携帯情報端末の通信エリア内に他の携帯情報端末の存在を検出すると互いに通信を確立し、通信の確立後あらかじめ携帯情報端末内に登録された利用者の嗜好を他の携帯情報端末と交換して利用者の嗜好が一致すれば、少なくとも端末利用者ＩＤと携帯情報端末内の店舗情報記憶領域に格納された該当する店舗情報とを転送し、相手の携帯情報端末から端末利用者ＩＤと店舗情報を送られてきた場合は携帯情報端末内の店舗情報記憶領域に格納する第３の機能をコンピュータに実行させるためのプログラムである。
【００７８】
第３は、第１のプログラムにあって、携帯情報端末の通信エリア内にあらかじめ任意の位置に設置され近距離無線通信機能を有する情報マーキング端末の存在を検出すると互いに通信を確立し、通信の確立後、携帯情報端末の利用者ＩＤと利用者の嗜好および自端末が保有する店舗情報を情報マーキング端末に通知し、情報マーキング端末から送られる利用者の嗜好に合った店舗情報を携帯情報端末内の店舗情報記憶領域に格納する第４の機能と、情報マーキング端末にあって近距離無線通信機能を用いて通信エリア内の携帯情報端末と通信を確立し、あらかじめ備えた嗜好別の店舗情報記憶領域から利用者の嗜好に合った店舗情報を携帯情報端末に送るとともに携帯情報端末からから受け取った利用者ＩＤと店舗情報を嗜好別の店舗情報記憶領域に蓄積する第５の機能をコンピュータに実行させるためのプログラムである。
【００７９】
以上説明したように、本発明により、利用者は通信料金を使用することなく、所望の店舗の情報を互いの携帯情報端末間で自動的に交換することが可能になる。同時に、利用者は情報のサイトへの登録という負担を必要とすることなく、所望の店舗の情報を互いの携帯情報端末間で自動的に交換することが可能になる。また、情報マーキング端末を設けたことにより、該加盟店舗の情報を利用者の該携帯情報端末を経由して多くの利用者に多くの店舗情報を通知する事が可能になる。また、情報マーキング端末の設置場所を工夫することにより、ショッピングモール内の人の流れをコントロールすることも可能となる。さらに本発明は、情報を広めた利用者に対しても対価としてポイントを還元するというメリットを提供することができる。これは、ショッピングモールの集客力をさらに向上させるという効果がある。
【００８０】
上述した実施例は、ショッピングモールにおける店舗の情報を互いの携帯情報端末間で自動的に交換するシステム及び方法について説明した。本発明はこれに限定されるものではなく、広域の地域における携帯情報端末間での各種イベント情報等の自動交換にも適用できることは、言うまでもない。
【図面の簡単な説明】
【００８１】
【図１】本発明の一実施の形態を示すシステム構成図である。
【図２】本発明の他の実施の形態を示すシステム構成図である。
【図３】本発明の携帯情報端末の構成を示すブロック図である。
【図４】本発明の店舗情報端末の構成を示すブロック図である
【図５】本発明の情報マーキング端末の構成を示すブロック図である。
【図６】本発明のポイント管理サーバの構成を示すブロック図である。
【図７】本発明のシリアル番号管理サーバの構成を示すブロック図である。
【符号の説明】
【００８２】
１    ショッピングモール
１０    携帯情報端末
１１    店舗の情報を記憶した携帯情報端末
１２    店舗の情報を直接転送された携帯情報端末
１３    店舗の情報を間接転送された携帯情報端末
２０    第１の店舗
２１    第２の店舗
３０    第１の店舗の情報端末
３１    第２の店舗の情報端末
４０    情報マーキング端末
５０    情報マーキング端末エリア
５１    相互転送エリア
６０    運営組織
７０    加盟店舗
７５    情報端末
８０    ポイント管理サーバ
９０    シリアル番号管理サーバ
１５０−１    無線通信ブロック
１５０−２    無線通信ブロック
１５０−３    無線通信ブロック
１６０−１    信号処理ブロック
１６０−２    信号処理ブロック
１６０−３    信号処理ブロック
１７０    記憶ブロック
１８０    利用者情報記憶領域
１９０−１    店舗情報記憶領域
１９０−２    店舗情報記憶領域
１９０−３    店舗情報記憶領域
２１０    利用者管理情報記憶領域
２２０    配信履歴情報記憶領域
【図１】
2005215846.tif 000003
【図２】
2005215846.tif 000004
【図３】
2005215846.tif 000005
【図４】
2005215846.tif 000006
【図５】
2005215846.tif 000007
【図６】
2005215846.tif 000008
【図７】
2005215846.tif 000009